(57)【要約】【課題】  メンテナンス作業を容易に行なうことができ、かつ冠水時にガバナ本体が損傷することのないエレベータ調速装置を提供する。【解決手段】  エレベータ調速装置は上部ソラセシーブ１と、テンショナシーブ３と、ガバナ本体２と、下部ソラセシーブ４とを備えている。これら上部ソラセシーブ１とテンショナシーブ３とガバナ本体２と下部ソラセシーブ４にはガバナロープ５が掛け渡され、ガバナロープ５は安全装置作動リンク７ａを介して乗りかご７に連結されている。ガバナ本体２と下部ソラセシーブ４は、上部ソラセシーブ１およびテンショナシーブ３の投影面の外側に位置している。【選択図】  図１
2005343680.tif 000002
【特許請求の範囲】
【請求項１】
案内レールに沿って乗りかごが昇降するエレベータ昇降路内に設置されたエレベータ調速装置において、
エレベータ昇降路上部に設けられた上部ソラセシーブと、
エレベータ昇降路下部に設けられたテンショナシーブと、
エレベータ昇降路のうち最下階乗り場近傍に設けられたガバナ本体と、
ガバナ本体の下方に設けられた下部ソラセシーブと、
これら上部ソラセシーブと、テンショナシーブと、ガバナ本体と、下部ソラセシーブとに掛け渡され、乗りかごに安全装置作動リンクを介して連結されたガバナロープとを備え、
ガバナ本体と下部ソラセシーブは、上部ソラセシーブおよびテンショナシーブの投影面の外側に位置していることを特徴とするエレベータ調速装置。
【請求項２】
ガバナ本体と下部ソラセシーブは、共通の取付台を介して案内レールに連結されていることを特徴とする請求項１記載のエレベータ調速装置。
【請求項３】
上部ソラセシーブに、乗りかご位置検出用のパルスジェネレータを取付けたことを特徴とする請求項１記載のエレベータ調速装置。
【請求項４】
下部ソラセシーブに、乗りかご位置検出用のパルスジェネレータを取付けたことを特徴とする請求項１記載のエレベータ調速装置。
【請求項５】
ガバナ本体および下部ソラセシーブは、最下階乗り場のレベルより上方に設けられていることを特徴とする請求項４記載のエレベータ調速装置。
【請求項６】
最下階乗り場にエレベータ昇降路に連通する開口を設け、この開口を介してガバナ本体に対して作業を行なうことを特徴とする請求項１記載のエレベータ調速装置。
【請求項７】
ガバナ本体と下部ソラセシーブの共通の取付台に、ガバナロープの振れ止め装置を設けたことを特徴とする請求項２記載のエレベータ調速装置。
【発明の詳細な説明】
【技術分野】
【０００１】
本発明は、案内レールに沿って乗りかごが昇降するエレベータ昇降路内に設置されたエレベータ調速装置に関する。
【背景技術】
【０００２】
図８は従来のエレベータ昇降路６内に設置されたエレベータ調速装置を示す図である。
【０００３】
図８に示すように、エレベータ調速装置は、エレベータ昇降路６上部に配置されたガバナ本体２と、昇降路６の下部ピット１０に配置されたテンショナシーブ３とを備えている。ガバナ本体２とテンショナシーブ３に、ガバナロープ５が掛け渡され、ガバナロープ５と乗りかご７の安全装置動作リング７ａとが結合されている。なお、図８において、エレベータ昇降路６内で案内レール８に沿って乗りかご７が昇降している。
【０００４】
図８において、エレベータ昇降路６上部にあるガバナ本体２のメンテナンス、およびガバナ本体２の動作機構の復帰作業が困難である。このため、エレベータ昇降路６内のガバナ本体２を操作するために、最上階乗り場から作業者が作業をする必要があり、このため専用の扉を用意するか、あるいはガバナ本体２を遠隔で操作する機構を設ける必要がある。
【０００５】
図９は他の従来のエレベータ昇降路６内に設置されたエレベータ調速装置を示す図である。
【０００６】
図９に示すように、エレベータ調速装置はエレベータ昇降路６上部に設けられた上部ソラセシーブ１と、エレベータ昇降路６の下部ピット１０に設けられたガバナ本体２とを備えている。ガバナ本体２と上部ソラセシーブ１に、ガバナロープ５が掛け渡され、ガバナロープ５と乗りかご７の安全装置動作リンク７ａとが結合されている。
【０００７】
図９に示すように、ガバナ本体２にはガバナロープ５に張力を作用させるために、テンショナの役割を果すためのオモリが内蔵されている。さらにガバナキャッチ動作時に乗りかご７の安全装置動作リンク７ａが作動した際に、ガバナ本体２が鉛直上方に引き上げられるため、上方向にガバナ本体２が飛上らないような機構（図示せず）が必要となる。また、ガバナ本体２がエレベータ昇降路６の下部ピット１０内に配置されるため、建物冠水時に下部ピット１０内へ流入する水により、ガバナ本体２が損傷する場合が発生する。
【発明の開示】
【発明が解決しようとする課題】
【０００８】
図８および図９に示す従来のエレベータ調速装置において、ガバナ本体２のメンテナンスおよび復帰作業が困難である。またガバナ本体２を下部ピット１０に配置した場合、ガバナ本体２の飛上り対策が必要となり、また下部ピット１０の冠水時にガバナ本体２が損傷することがある。
【０００９】
本発明はこのような点を考慮してなされたものであり、ガバナ本体のメンテナンス作業を容易に行なうことができ、かつ冠水時にガバナ本体が損傷することのないエレベータ調速装置を提供することを目的とする。
【課題を解決するための手段】
【００１０】
本発明は、案内レールに沿って乗りかごが昇降するエレベータ昇降路内に設置されたエレベータ調速装置において、エレベータ昇降路上部に設けられた上部ソラセシーブと、エレベータ昇降路下部に設けられたテンショナシーブと、エレベータ昇降路のうち最下階乗り場近傍に設けられたガバナ本体と、ガバナ本体の下方に設けられた下部ソラセシーブと、これら上部ソラセシーブと、テンショナシーブと、ガバナ本体と、下部ソラセシーブとに掛け渡され、乗りかごに安全装置作動リンクを介して連結されたガバナロープとを備え、ガバナ本体と下部ソラセシーブは、上部ソラセシーブおよびテンショナシーブの投影面の外側に位置していることを特徴とするエレベータ調速装置である。
【００１１】
エレベータ昇降路下方にガバナ本体が配置されるため、作業者は下部ピット内に進入し作業をすることが可能となる。また、最下階乗り場のレベルよりも高い位置にガバナ本体が配置されるために、冠水時にピット内が水で満たされても、ガバナ本体の機構を損傷することがなくなる。また、下記ソラセシーブおよびガバナ本体を案内レールに取付けることにより、ガバナ本体に飛上り防止機構を設ける必要もなくなる。さらに、ガバナ本体および下部ソラセシーブを、上部ソラセシーブおよびテンショナシーブの投影面から外すことにより、エレベータ調速機全体の構造をコンパクトにすることが出来る。
【００１２】
本発明は、ガバナ本体と下部ソラセシーブは、共通の取付台を介して案内レールに連結されていることを特徴とするエレベータ調速装置である。
【００１３】
ガバナ本体の取付台と下部ソラセシーブの取付台を１つに共有化することにより、それぞれから取付台に加わる力を打ち消しあうことができ、また取付台への応力低減を図ることができ、さらに部品点数を削減することができる。
【００１４】
本発明は、上部ソラセシーブに、乗りかご位置検出用のパルスジェネレータを取付けたことを特徴とするエレベータ調速装置である。
【００１５】
上部ソラセシーブにパルスジェネレータを取付けることにより、ガバナ本体にパルスジェネレータを取付けた場合に比べ、エレベータ調速機全体の構成を小さくすることが出来る。また、テンショナシーブにパルスジェネレータを取付けた場合には、下部ピット内に冠水が発生すると、パルスジェネレータが水没により故障してしまうが、上部ソラセシーブにパルスジェネレータを取付けることにより水没の心配はない。
【００１６】
本発明は、下部ソラセシーブに、乗りかご位置検出用のパルスジェネレータを取付けたことを特徴とするエレベータ調速装置である。
【００１７】
下部ソラセシーブにパルスジェネレータを取付けることにより、ガバナ本体にパルスジェネレータを取付けた場合に比べ、エレベータ調速装置全体の構成を小さくすることが出来る。また、下部ソラセシーブに取付けられたパルスジェネレータのメンテナンスをエレベータ昇降路の下部ピットから行うことができ、作業が容易となる。
【００１８】
本発明は、ガバナ本体および下部ソラセシーブは、最下階乗り場のレベルより上方に設けられていることを特徴とするエレベータ調速装置である。
【００１９】
パルスジェネレータを取付けた下部ソラセシーブをエレベータ最下階乗り場のレベルより上方に位置に配置することにより、昇降路の下部ピットへ冠水した際、パルスジェネレータを水没により損傷することを防ぐことが出来る。
【００２０】
本発明は、最下階乗り場にエレベータ昇降路に連通する開口を設け、この開口を介してガバナ本体に対して作業を行なうことを特徴とするエレベータ調速装置である。
【００２１】
ガバナ本体のスイッチ復帰動作、ガバナ本体の作動確認を行なうために、エレベータ乗り場に操作用の開口を設けることにより、ガバナ本体に対する作業をエレベータ乗り場から実施できるようになり、緊急時の救出作業の際、救出作業員の安全を確保することができる。
【００２２】
本発明は、ガバナ本体と下部ソラセシーブの共通の取付台に、ガバナロープの振れ止め装置を設けたことを特徴とするエレベータ調速装置である。
【００２３】
ガバナ本体と下部ソラセシーブの共通の取付台にロープ振れ止めを設置することにより、ガバナロープが振れることはなく、他の部材と接触してガバナロープが損傷することはない。
【発明の効果】
【００２４】
以上のように本発明によれば、ガバナ本体のメンテナンス作業を容易に行なうことができ、かつ冠水時にガバナ本体が損傷することはない。さらにエレベータ調速装置の構成を全体としてコンパクトにすることができる。
【発明を実施するための最良の形態】
【００２５】
以下、図面を参照して本発明の実施の形態について説明する。
【００２６】
図１は本発明によるエレベータ調速装置の第１の実施の形態を示す図である。
【００２７】
図１に示すように、エレベータ昇降路６内に案内レール８が設置され、この案内レール８に沿って乗りかご７が昇降するようになっている。
【００２８】
本発明によるエレベータ調速装置は、エレベータ昇降路６上部に配置され案内レール８に取付台１ａを介して取付けられた上部ソラセシーブ１と、エレベータ昇降路６下部に配置され、案内レール８に取付台３ａを介して取付けられるとともにおもり３ｂを有するテンショナシーブ３と、エレベータ昇降路６のうち最下階乗り場９近傍に設けられたガバナ本体２と、エレベータ昇降路６内においてガバナ本体２の下方に設置された下部ソラセシーブ４とを備えている。
【００２９】
また上部ソラセシーブ１と、テンショナシーブ３と、ガバナ本体２と、下部ソラセシーブ４とにガバナロープ５が掛け渡され、このガバナロープ５は乗りかご７に安全装置作動リンク７ａを介して連結されている。
【００３０】
なお、ガバナ本体２は案内レール８に取付台１１を介して取付けられており、また下部ソラセシーブ４は案内レール８に取付台１２を介して取付けられている。またガバナ本体２と下部ソラセシーブ４は上下方向に並んで配置され、さらに上部ソラセシーブ１とテンショナシーブ３も上下方向に並んで配置されている。またガバナ本体２と下部ソラセシーブ４は、上部ソラセシーブ１およびテンショナシーブ３の投影面の外方に位置している。
【００３１】
なお、上述した上部ソラセシーブ１と、テンショナシーブ３と、ガバナ本体２と、下部ソラセシーブ４は、いずれもエレベータ昇降路６の内壁と乗りかご７との間に配置されている。
【００３２】
図１に示すように、ガバナ本体２は最下階乗り場９の近傍、すなわち最下階乗り場９のレベルよりわずか上方に設置されている。このため、作業者はエレベータ昇降路６の下部ピット１０内に入ってガバナ本体２のメンテナンス作業を行うことができる。また冠水時に下部ピット１０内に水が流入しても、ガバナ本体２は下部ピット１０の上方に設けられているため、ガバナ本体２が損傷することはなく、またガバナ本体２に飛び上り防止機構を設ける必要がない。さらにガバナ本体２および下部ソラセシーブ４を、上部ソラセシーブ１およびテンショナシーブ３の投影面から外すことにより、上部ソラセシーブ１、テンショナシーブ３、下部ソラセシーブ４およびガバナ本体２をエレベータ昇降路６内に効率的かつコンパクトに配置することができる。
【００３３】
なお、下部ソラセシーブ４は、最下階乗り場９のレベルよりわずか下方に設置されている。
【００３４】
次に図２により本発明によるエレベータ調速装置の第２の実施の形態について説明する。
【００３５】
図２に示す実施の形態は、ガバナ本体２と下部ソラセシーブ４の取付構造が異なるのみであり、他は図１に示す第１の実施の形態と略同一である。
【００３６】
図２において、図１に示す実施の形態と同一部分には同一符号を符して詳細な説明は省略する。
【００３７】
図２に示すように、ガバナ本体２と下部ソラセシーブ４は、いずれも最下階乗り場９近傍に設置され、このうちガバナ本体２は最下階乗り場９のレベルよりわずか上方に位置しており、下部ソラセシーブ４は最下階乗り場９のレベルよりわずか下方に位置している。
【００３８】
またガバナ本体２と下部ソラセシーブ４は、共通の取付台１３を介して案内レール８に連結されている。
【００３９】
図２において、ガバナ本体２は取付台１３の上方に設置され、下部ソラセシーブ４は取付台１３の下方に設置されている。このためガバナ本体２から取付台１３へ下方に向かう力が加わり、下部ソラセシーブ４から取付台１３へ上方へ向う力が加わることになり、取付台１３においてガバナ本体２からの力と下部ソラセシーブ４からの力が打ち消し合う。従って取付台１３の応力低減を図ることができ、かつ取付台１３の個数を削除することができる。
【００４０】
次に図３により、本発明によるエレベータ調速装置の第３の実施の形態について説明する。
【００４１】
図３に示す第３の実施の形態は、上部ソラセシーブ１に乗りかご位置検出用のパルスジェネレータ１４を取付けたものである。他は図２に示す第２の実施の形態と略同一である。
【００４２】
図３において、図１および図２に示す実施の形態と同一部分には同一符号を符して詳細な説明は省略する。
【００４３】
図３に示すように、上部ソラセシーブ１にパルスジェネレータ１４を取付けたので、ガバナ本体２にパルスジェネレータを取付けた部分に比べて、エレベータ調速装置全体の形状をコンパクトにすることができる。またテンショナシーブ３にパルスジェネレータを取付けた場合に比べて、冠水時にパルスジェネレータが損傷することはない。
【００４４】
次に、図４により、本発明によるエレベータ調速装置の第４の実施の形態について説明する。
【００４５】
図４に示す第４の実施の形態は、上部ソラセシーブ１に取付ける代わりに、下部ソラセシーブ４にパルスジェネレータ１４を取付けたものである。他は図３に示す第３の実施の形態と略同一である。
【００４６】
図４において、図１乃至図３に示す実施の形態と同一部分には同一符号を符して詳細な説明は省略する。
【００４７】
図４に示すように、下部ソラセシーブ４にパルスジェネレータ１４を取付けたので、ガバナ本体２にパルスジェネレータを取付けた場合に比べて、エレベータ調速装置全体の形状をコンパクトにすることができる。また、下部ソラセシーブ４に取付けられたパルスジェネレータ１４のメンテナンス作業を下部ピット１０内から行なうことができる。
【００４８】
次に図５により本発明によるエレベータ調速装置の第５の実施の形態について説明する。
【００４９】
図５に示す第５の実施の形態は、案内レール８に取付台１３を介して取付けられた下部ソラセシーブ４が、最下階乗り場９のレベルよりわずかに上方に位置するとともに、取付台１３に取付けられたガバナ本体２が下部ソラセシーブ４より上方に配置されたものである。下部ソラセシーブ４にはパルスジェネレータ１４が取付けられている。他は図４に示す第４の実施の形態と略同一である。
【００５０】
図５において、図１乃至図４に示す実施の形態と同一部分には同一符号を符して詳細な説明は省略する。
【００５１】
図５において、下部ソラセシーブ４が最下階乗り場９のレベルよりわずか上方に位置しているため、下部ピット１０への冠水時でもパルスジェネレータ１４が損傷することはない。
【００５２】
次に図６により本発明によるエレベータ調速装置の第６の実施の形態について説明する。
【００５３】
図６に示す第６の実施の形態は、最下階乗り場９の壁面１５ａに、エレベータ昇降路６に連通する開口１５を設け、この開口１５を介してガバナ本体２に対する作業を行なうものである。他は図２に示す第２の実施の形態と略同一である。
【００５４】
図６において、図１乃至図５に示す実施の形態と同一部分には同一符号を符して詳細な説明は省略する。
【００５５】
図６に示すように、最下階乗り場９の壁面１５ａに開口１５が設けられ、この開口１５はガバナ本体２の側方に位置している。
【００５６】
作業者は最下階乗り場９から開口１５を介してガバナ本体２のスイッチ復帰動作、ガバナ本体２の作動確認を行なうことができ、緊急時の救出作業の際、作業者の作業を早急かつ確実に行なうことができる。
【００５７】
次に図７により、本発明によるエレベータ調速装置の第７の実施の形態について説明する。
【００５８】
図７に示す実施の形態は、ガバナ本体２と下部ソラセシーブ４の共通の取付台１３に、ガバナロープ５の振れ止め装置１６を設けたものである。他は図２に示す第２の実施の形態と略同一である。
【００５９】
図７において、図１乃至図６に示す実施の形態と同一部分には同一符号を符して詳細な説明は省略する。
【００６０】
図７に示すように、取付台１３にガバナロープ５の振れ止め装置１６を設けたことにより、ガバナロープ５が大きく振れて他の部材と接触することはなく、このためガバナロープ５の損傷を未然に防ぐことができる。
【図面の簡単な説明】
【００６１】
【図１】本発明によるエレベータ調速装置の第１実施形態を示す、エレベータ昇降路縦断面図。
【図２】本発明によるエレベータ調速装置の第２実施形態を示す、エレベータ昇降路縦断面図。
【図３】本発明によるエレベータ調速装置の第３実施形態を示す、エレベータ昇降路縦断面図。
【図４】本発明によるエレベータ調速装置の第４実施形態を示す、エレベータ昇降路縦断面図。
【図５】本発明によるエレベータ調速装置の第５実施形態を示す、エレベータ昇降路縦断面図。
【図６】本発明によるエレベータ調速装置の第６実施形態を示す、エレベータ昇降路縦断面図。
【図７】本発明によるエレベータ調速装置の第７実施形態を示す、エレベータ昇降路縦断面図。
【図８】従来のエレベータ調速装置を示すエレベータ昇降路縦断面図。
【図９】従来のエレベータ調速装置を示すエレベータ昇降路縦断面図。
【符号の説明】
【００６２】
１  上部ソラセシーブ
２  ガバナ本体
３  テンショナシーブ
４  下部ソラセシーブ
５  ガバナロープ
６  エレベータ昇降路
７  乗りかご
７ａ  安全装置作動リンク
８  案内レール
９  最下階乗り場
１０  下部ピット
１１、１２、１３  取付台
１４  パルスジェネレータ
１５  開口
【図１】
2005343680.tif 000003
【図２】
2005343680.tif 000004
【図３】
2005343680.tif 000005
【図４】
2005343680.tif 000006
【図５】
2005343680.tif 000007
【図６】
2005343680.tif 000008
【図７】
2005343680.tif 000009
【図８】
2005343680.tif 000010
【図９】
2005343680.tif 000011